(57)【要約】【課題】媒体の取出性を向上させることができるようにする。【解決手段】第１の画像処理を行う第１の画像処理部と、該第１の画像処理部の上方に配設され、前記第１の画像処理が行われた媒体を排出するための排出部と、排出された媒体を積載するための媒体積載部と、該媒体積載部の上方に配設され、第２の画像処理を行う第２の画像処理部と、該第２の画像処理部における所定の箇所に配設され、所定の操作を行うための操作部とを有する。前記媒体積載部に、排出された媒体と媒体積載部の表面との間に隙間が形成されるように段差部ｑ１が形成される。段差部ｑ１及び操作部は、画像形成装置の上方から見て、操作部が段差部ｑ１を遮らない位置に形成される。操作者は、画像形成装置の上方から段差部ｑ１を容易に見ることができる。【選択図】図１
2009157238.tif 000002
【特許請求の範囲】
【請求項１】
（ａ）第１の画像処理を行う第１の画像処理部と、
（ｂ）該第１の画像処理部の上方に配設され、前記第１の画像処理が行われた媒体を排出するための排出部と、
（ｃ）排出された媒体を積載するための媒体積載部と、
（ｄ）該媒体積載部の上方に配設され、第２の画像処理を行う第２の画像処理部と、
（ｅ）該第２の画像処理部における所定の箇所に配設され、所定の操作を行うための操作部とを有するとともに、
（ｆ）前記媒体積載部に、排出された媒体と媒体積載部の表面との間に隙間が形成されるように段差部が形成され、
（ｇ）該段差部及び操作部は、画像形成装置の上方から見て、操作部が段差部を遮らない位置に形成されることを特徴とする画像形成装置。
【請求項２】
前記段差部及び操作部は、画像形成装置の手前側から見て、それぞれ画像形成装置の第１、第２の側面側に寄せて形成される請求項１に記載の画像形成装置。
【請求項３】
前記段差部は、画像形成装置の手前側から奥側にかけて、中央に向けて斜めに延びるように形成される請求項１又は２に記載の画像形成装置。
【請求項４】
前記媒体積載部に排出される媒体の端部が前記段差部にかかる請求項１〜３のいずれか１項に記載の画像形成装置。
【請求項５】
前記第１、第２の画像処理部間を連結する側壁において、画像形成装置の手前側に切欠きが形成される請求項１〜４のいずれか１項に記載の画像形成装置。
【請求項６】
前記段差部は、画像形成装置の第１、第２の側面側に形成される請求項１に記載の画像形成装置。
【請求項７】
（ａ）媒体に画像を形成する画像形成部と、
（ｂ）該画像形成部の上方に配設され、画像が形成された媒体を排出するための排出部と、
（ｃ）排出された媒体を積載するための媒体積載部とを有するとともに、
（ｄ）該媒体積載部には、排出された媒体と媒体積載部の表面との間に隙間が形成されるように、かつ、画像形成装置の手前側から奥側にかけて、中央に向けて斜めに延びるように段差部が形成されることを特徴とする画像形成装置。
【請求項８】
前記段差部は凹部によって形成される請求項７に記載の画像形成装置。
【請求項９】
前記段差部は凸部によって形成される請求項７に記載の画像形成装置。
【請求項１０】
前記媒体積載部に排出される媒体の端部が前記段差部にかかる請求項７に記載の画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の画像形成装置、例えば、複合機においては、プリンタ部が土台上に載置され、該土台の上方おいて、土台に対して昇降自在に配設された載置台上にスキャナ部が載置されるようになっている。
【０００３】
そして、スキャナ部を載置するための載置台は、２箇所の位置、すなわち、通常使用する位置、及びプリンタ部のトップカバーを開閉したときにトップカバーと干渉しない位置に選択的に置かれる（例えば、特許文献１参照。）。
【特許文献１】特開２００６−９１４２９号公報
【発明の開示】
【発明が解決しようとする課題】
【０００４】
しかしながら、前記従来の複合機においては、スキャナ部を載置するための載置台が媒体の取出方向に大きく張り出しているので、排出された媒体としての用紙、特に長さの短い用紙を取り出すのが困難になってしまう。また、前記載置台を上昇させた後に用紙を取り出さなければならないので、用紙の取出性が低い。
【０００５】
本発明は、前記従来の複合機の問題点を解決して、媒体の取出性を向上させることができる画像形成装置を提供することを目的とする。
【課題を解決するための手段】
【０００６】
そのために、本発明の画像形成装置においては、第１の画像処理を行う第１の画像処理部と、該第１の画像処理部の上方に配設され、前記第１の画像処理が行われた媒体を排出するための排出部と、排出された媒体を積載するための媒体積載部と、該媒体積載部の上方に配設され、第２の画像処理を行う第２の画像処理部と、該第２の画像処理部における所定の箇所に配設され、所定の操作を行うための操作部とを有する。
【０００７】
そして、前記媒体積載部に、排出された媒体と媒体積載部の表面との間に隙間が形成されるように段差部が形成される。
【０００８】
また、該段差部及び操作部は、画像形成装置の上方から見て、操作部が段差部を遮らない位置に形成される。
【発明の効果】
【０００９】
本発明によれば、画像形成装置においては、第１の画像処理を行う第１の画像処理部と、該第１の画像処理部の上方に配設され、前記第１の画像処理が行われた媒体を排出するための排出部と、排出された媒体を積載するための媒体積載部と、該媒体積載部の上方に配設され、第２の画像処理を行う第２の画像処理部と、該第２の画像処理部における所定の箇所に配設され、所定の操作を行うための操作部とを有する。
【００１０】
そして、前記媒体積載部に、排出された媒体と媒体積載部の表面との間に隙間が形成されるように段差部が形成される。
【００１１】
また、該段差部及び操作部は、画像形成装置の上方から見て、操作部が段差部を遮らない位置に形成される。
【００１２】
この場合、前記媒体積載部に、排出された媒体と媒体積載部の表面との間に隙間が形成されるように段差部が形成され、前記段差部及び操作部は、画像形成装置の上方から見て、操作部が段差部を遮らない位置に形成されるので、操作者は、画像形成装置の上方から段差部を容易に見ることができる。したがって、媒体積載部に排出された媒体を容易に取り出すことができるので、媒体の取出性を向上させることができる。
【発明を実施するための最良の形態】
【００１３】
以下、本発明の実施の形態について図面を参照しながら詳細に説明する。この場合、画像形成装置としての複合機について説明する。
【００１４】
図２は本発明の第１の実施の形態における複合機の正面図、図３は本発明の第１の実施の形態における複合機の側面図、図４は本発明の第１の実施の形態における複合機の平面図、図５は本発明の第１の実施の形態における用紙の搬送路を示す図である。
【００１５】
図に示されるように、複合機１０は、第１の媒体としての用紙Ｐに画像を形成する（印刷を行う）画像形成部としてのプリンタ部２０、該プリンタ部２０の上方に配設され、第２の媒体としての原稿の画像を読み取る画像読取部としてのスキャナ部４０、及び複合機１０における所定の操作を行うための操作部４３を備える。なお、前記プリンタ部２０によって、第１の画像処理である画像の形成を行う第１の画像処理部が、前記スキャナ部４０によって、第２の画像処理である画像の読取りを行う第２の画像処理部が構成される。
【００１６】
前記プリンタ部２０は、下部に給紙部２１を備え、本実施の形態においては、上から１段目にデフォルトトレイとしての、かつ、第１の媒体収容部としての給紙トレイ２１ａが、２段目及び３段目にオプショントレイとしての、かつ、第２の媒体収容部としての給紙トレイ２１ｂ、２１ｃが配設される。また、前記プリンタ部２０の最下部には、用紙Ｐ等の保管場所として使用可能なキャビネット２２が配設される。
【００１７】
そして、前記各給紙トレイ２１ａ、２１ｂ、２１ｃに収容された用紙Ｐは、給紙ローラ２３が回転させられるのに伴って１枚ずつ搬送路に給紙され、該搬送路に配設された搬送ローラ２４によってブラック、イエロー、マゼンタ及びシアンの各色の画像形成ユニット２５Ｂｋ、２５Ｙ、２５Ｍ、２５Ｃに送られる。該各画像形成ユニット２５Ｂｋ、２５Ｙ、２５Ｍ、２５Ｃは、それぞれ図示されない像担持体としての感光体ドラムを備え、該各感光体ドラムと対向させて、現像剤像としてのトナー像を用紙Ｐに転写する転写部材としての転写ローラが配設される。
【００１８】
前記画像形成ユニット２５Ｂｋ、２５Ｙ、２５Ｍ、２５Ｃは、感光体ドラム上に潜像としての静電潜像を形成し、該静電潜像を現像剤としてのトナーによって現像して前記トナー像を形成する。
【００１９】
また、用紙Ｐの搬送方向における画像形成ユニット２５Ｂｋ、２５Ｙ、２５Ｍ、２５Ｃより下流側には、用紙Ｐに転写されたトナー像を用紙Ｐに定着させるための定着装置としての定着器２６が配設される。該定着器２６は、第１のローラとしての加熱ローラ２６ａ、第２のローラとしての加圧ローラ２６ｂ等を備え、前記加熱ローラ２６ａ内には加熱体としての図示されないヒータが配設される。そして、定着器２６は、用紙Ｐが搬送されてくると、前記トナー像を加熱し、加圧して用紙Ｐに定着させる。その後、用紙Ｐは搬送ローラ２７によって搬送され、排出ローラ２８によって、排出部としての排出口２９から媒体積載部としての用紙積載部３０に排出される。なお、該用紙積載部３０には、所定の箇所に凹部３０ａが形成される。
【００２０】
前記用紙積載部３０は、プリンタ部２０の上面とスキャナ部４０の底面との間に形成され、その両側はプリンタ部２０とスキャナ部４０とを連結する側壁３１によって包囲される。また、用紙積載部３０は、排出された用紙Ｐの後端をそろえるために、排出方向における中央付近より上流側に傾斜させて形成された傾斜部ＡＲ１、及び中央付近より下流側に水平に形成された水平部ＡＲ２を備え、排出口２９に向けて下方に湾曲させた形状にされる。
【００２１】
また、前記スキャナ部４０は、自動原稿給紙部（以下「ＡＤＦ」という。）４１、表面がガラスで覆われたフラットベッド４２を備え、前記ＡＤＦ４１は、原稿セット台４１ａ及び原稿排出部４１ｂを備える。そして、前記スキャナ部４０の所定の箇所、本実施の形態においては、フラットベッド４２における複合機１０の手前側に前記操作部４３が配設される。なお、前記凹部３０ａは、操作部４３の左端と凹部３０ａの右端との距離Ｌ１が約２０〔ｍｍ〕になるように形成される。
【００２２】
前記原稿セット台４１ａにセットされた原稿は、操作部４３からの指示によって１枚ずつ図示されないローラ等によってフラットベッド４２に送られ、該フラットベッド４２において画像が読み取られ、その後、原稿排出部４１ｂに排出される。
【００２３】
前記操作部４３には、スタートキー４３ａ、ストップキー４３ｂ、テンキー４３ｃ、タッチパネル４３ｄ等の操作要素が配設され、操作者が該各操作要素を操作することによって、プリンタ部２０及びスキャナ部４０に指示を送ることができる。
【００２４】
次に、前記構成の複合機１０の動作について説明する。まず、ＡＤＦ４１を使用した複写動作について説明する。
【００２５】
図６は本発明の第１の実施の形態における複合機の動作を操作者の動作に対応させて示すフローチャートである。
【００２６】
まず、操作者が、複写したい原稿を原稿セット台４１ａにセットし、操作部４３のテンキー４３ｃ、タッチパネル４３ｄ等を操作して複写枚数、色（黒又はカラー）等を指定した後、スタートキー４３ａを押下すると、原稿セット台４１ａにセットされた原稿は１枚ずつ図示されないローラ等によってフラットベッド４２に送られ、該フラットベッド４２において原稿の画像が読み取られる。その後、原稿は原稿排出部４１ｂに排出される。
【００２７】
続いて、読み取られた画像のデータ、すなわち、画像データは、図示されない制御部に送られ、該制御部の読取画像処理手段部は、画像データの処理を行い、画像データをプリンタ部２０に送る。
【００２８】
これに伴って、プリンタ部２０の動作が開始される。
【００２９】
まず、給紙トレイ２１ａ、２１ｂ、２１ｃに収容された用紙Ｐは給紙ローラ２３の回転によって１枚ずつ給紙され、搬送路に配設された搬送ローラ２４によって画像形成ユニット２５Ｂｋ、２５Ｙ、２５Ｍ、２５Ｃに送られる。該画像形成ユニット２５Ｂｋ、２５Ｙ、２５Ｍ、２５Ｃにおいては、感光体ドラム上に静電潜像が形成され、該静電潜像がトナーによって現像されてトナー像が形成される。そして、前記転写ローラによって、前記トナー像は用紙Ｐに転写される。
【００３０】
そして、用紙Ｐ上のトナー像は、定着器２６において定着させられる。続いて、用紙Ｐは搬送路に配設された搬送ローラ２７によって搬送され、排出ローラ２８によって用紙積載部３０に排出される。
【００３１】
次に、フローチャートについて説明する。  
ステップＳ１  原稿をセットする。
ステップＳ２  複写枚数、色等を指定し、スタートキー４３ａを押下する。
ステップＳ３  原稿を搬送し、画像を読み取り、原稿を排出する。
ステップＳ４  読取画像処理を行う。
ステップＳ５  トナー像を用紙Ｐに転写する。
ステップＳ６  定着を行う。
ステップＳ７  用紙Ｐを排出し、処理を終了する。
【００３２】
次に、前記用紙積載部３０について説明する。
【００３３】
図１は本発明の第１の実施の形態における用紙積載部の斜視図、図７は本発明の第１の実施の形態における用紙積載部の平面図、図８は本発明の第１の実施の形態における用紙積載部に用紙が積載された状態を示す図、図９は本発明の第１の実施の形態における他の用紙積載部を示す平面図である。
【００３４】
図１に示されるように、用紙積載部３０は、排出された用紙Ｐの後端をそろえるために、排出口２９に向けて下方に湾曲させた形状にされ、用紙積載部３０の面上には、前記凹部３０ａが形成され、該凹部３０ａと用紙積載部３０の表面の他の部分とによって段差部ｑ１が形成される。該段差部ｑ１は、水平部ＡＲ２において、用紙Ｐと用紙積載部３０の表面との間に指が入る程度の隙間を形成する。そのために、前記段差部ｑ１は、本実施の形態においては、１５〔ｍｍ〕程度の高さｈにされ、傾斜部ＡＲ１において、排出口２９に近づくほど低くされる。
【００３５】
そして、図７及び８に示されるように、各種のサイズの用紙Ｐの所定の箇所、本実施の形態においては、複合機１０の手前側から見て複合機１０の第１の側面１０Ｌ側、すなわち、左側に寄せて前記凹部３０ａが形成される。該凹部３０ａは、複合機１０の手前側（操作部４３側）の左端（排出口２９に向かって左端）から奥側（排出口２９側）にかけて徐々に広がるように形成され、そのために、前記凹部３０ａの縁部、及び該縁部に形成された段差部ｑ１は、複合機１０の手前側から奥側にかけて、中央に向けて斜めに延びるように、操作部４３の左端から約２０〔ｍｍ〕右方の位置まで形成される。また、凹部３０ａの右側の奥に矩形の形状を有する突出部３０ｆが更に奥側にかけて形成される。
【００３６】
なお、凹部３０ａが、複合機１０の手前側から見て複合機１０の左側に寄せて形成されるのに対して、操作部４３は、複合機１０の手前側から見て、図２及び４に示されるように用紙積載部３０の上方の複合機１０の第２の側面１０Ｒ側、すなわち、右側に寄せて形成される。したがって、第１の側面１０Ｌ側に、複合機１０を上方から見たときに、凹部３０ａを遮蔽しない部分（欠除部分）が形成される。その結果、凹部３０ａを上方から容易に見ることができるので、用紙Ｐが排出されたかどうかを容易に確認することができるだけでなく、用紙Ｐをそのまま取り出すことができる。
【００３７】
ところで、用紙Ｐは、幅、長さ等が多種多様であるが、通常、定形サイズのものが業務上使用される。ここで、定形サイズとは、複合機１０にあらかじめ登録される規定のサイズ、又は上位装置であるパソコン等のプリンタドライバによって指定されるサイズであり、例えば、Ａ４判、Ａ３判、Ｂ５判、ｌｅｔｔｅｒ等である。これに対して、本実施の形態において、複合機１０で使用できる用紙Ｐのうちの最も小さいものはＡ６判のサイズ（縦送り）であり、最も大きいものはＡ３判のサイズ（縦送り）である。
【００３８】
図７に示されるように、用紙積載部３０に各種のサイズの用紙Ｐが積載されても、前面の左側の端部が前記凹部３０ａにかかり、用紙Ｐの角部又は縁部の一部が凹部３０ａの領域内に位置する。したがって、前記凹部３０ａにかかった用紙Ｐの前面の左側の端部を確実に指でつかむことができる。そして、少なくとも、一般的に頻繁に使用されるＡ４判又はｌｅｔｔｅｒのサイズの用紙Ｐにおいては、その角部又は縁部が凹部３０ａにかかるように段差部ｑ１が形成されるのが望ましい。
【００３９】
このように、本実施の形態においては、凹部３０ａ及び操作部４３を複合機１０の手前側からみたときに、それぞれ複合機１０の前記第１、第２の側面１０Ｌ、１０Ｒ側に寄せて形成される。すなわち、前記凹部３０ａ及び段差部ｑ１並びに操作部４３が、複合機１０の上方から見て、操作部４３が凹部３０ａ及び段差部ｑ１を遮らない位置に形成されるので、操作者は、複合機１０の上方から凹部３０ａを容易に見ることができる。その結果、媒体積載部３０に排出された用紙Ｐを容易に取り出すことができるので、用紙Ｐの取出性を向上させることができる。
【００４０】
また、用紙Ｐの角部又は縁部が凹部３０ａの領域内に位置し、用紙Ｐの角部又は縁部と用紙積載部３０の表面である凹部３０ａとの間に指が入る程度の隙間が形成されるので、用紙Ｐの取出性を一層向上させることができる。
【００４１】
さらに、凹部３０ａは複合機１０奥側（排出口２９側）にかけて徐々に広がるように形成されるので、用紙積載部３０における用紙を支持する面、すなわち、受け面は手前側ほど広くなる。したがって、排出されて用紙積載部３０に積載される用紙Ｐが凹部３０ａ内に垂れ下がって撓んでしまうのを防止することができる。
【００４２】
本実施の形態において、凹部３０ａは複合機１０の手前側において左寄りに形成され、操作部４３は複合機１０の手前側において右寄りに形成されるようになっているが、凹部３０ａを複合機１０の手前側において右寄りに形成し、操作部４３を複合機１０の手前側において左寄りに形成することができる。
【００４３】
さらに、図９に示されるように、操作部４３の寸法を小さくして複合機１０の手前側において中央に配設し、凹部３０ａを複合機１０の手前側において両縁寄りに形成することができる。
【００４４】
次に、本発明の第２の実施の形態について説明する。なお、第１の実施の形態と同じ構造を有するものについては、同じ符号を付与し、同じ構造を有することによる発明の効果については同実施の形態の効果を援用する。
【００４５】
図１０は本発明の第２の実施の形態における用紙積載部の斜視図、図１１は本発明の第２の実施の形態における用紙積載部に用紙が積載された状態を示す第１の図、図１２は本発明の第２の実施の形態における用紙積載部に用紙が積載された状態を示す第２の図、図１３は本発明の第２の実施の形態における用紙積載部に用紙が積載された状態を示す第３の図である。
【００４６】
本実施の形態においては、前記用紙積載部３０の面上には、第１の実施の形態における凹部３０ａに代えて、帯状の凸部３０ｂが形成され、該凸部３０ｂと用紙積載部３０の表面の他の部分とで段差部ｑ１が形成される。該段差部ｑ１は、水平部ＡＲ２において、用紙Ｐと用紙積載部３０の表面との間に指が入る程度の隙間を形成する。そのために、前記段差部ｑ１は、本実施の形態においては、１５〔ｍｍ〕程度の高さｈにされ、傾斜部ＡＲ１において、排出部としての排出口２９に近づくほど低くされる。
【００４７】
前記凸部３０ｂは、複合機１０の手前側（操作部４３側）の左端（排出口２９に向かって左端）から奥側（排出口２９側）にかけて徐々に中央に近づくように形成される。
【００４８】
なお、凸部３０ｂが、複合機１０の手前側の左端から奥側の右方にかけて（一方の縁寄り、本実施の形態においては、左寄りに）形成されるのに対して、操作部４３は、用紙積載部３０の上方の手前側において、他方の縁寄り、本実施の形態においては、右寄りに形成される。したがって、凸部３０ｂの近傍を上方から容易に見ることができるので、用紙Ｐが排出されたかどうかを容易に確認することができるだけでなく、用紙Ｐを容易に取り出すことができる。
【００４９】
本実施の形態において、凸部３０ｂは複合機１０の手前側において左寄りに形成され、操作部４３は複合機１０の手前側において右寄りに形成されるようになっているが、凸部３０ｂを複合機１０の手前側において右寄りに形成し、操作部４３を複合機１０の手前側において左寄りに形成することができる。
【００５０】
さらに、操作部４３の寸法を小さくして複合機１０の手前側において中央に配設し、凸部３０ｂを複合機１０の手前側において両縁寄りに形成することができる。
【００５１】
次に、本発明の第３の実施の形態について説明する。なお、前記第１、第２の実施の形態と同じ構造を有するものについては、同じ符号を付与、同じ構造を有することによる発明の効果については同実施の形態の効果を援用する。
【００５２】
図１４は本発明の第３の実施の形態における複合機の斜視図、図１５は本発明の第３の実施の形態における複合機の側面図である。
【００５３】
図において、３０はプリンタ部２０の上面とスキャナ部４０の底面との間に形成される用紙積載部、３２は複合機１０の左右において、プリンタ部２０とスキャナ部４０とを連結する側壁である。
【００５４】
この場合、各側壁３２は、用紙積載部３０と隣接する部分に、複合機１０手前側から奥側にかけて形成された切欠き部３２ａを備え、奥側の部分だけでスキャナ部４０を支持する。すなわち、凹部３０ａは、切欠き部３２ａ内から排出口２９に向けて形成されるので、用紙積載部３０に排出された用紙Ｐを、複合機１０の手前側からだけでなく、複合機１０の側面側からも見ることができる。したがって、用紙Ｐを容易に取り出すことができるので、用紙Ｐの取出性を一層向上させることができる。
【００５５】
前記各実施の形態においては、本発明を画像形成装置としての複合機に適用した例について説明したが、本発明を、プリンタ、複写機、ファクシミリ装置等に適用することができる。
【００５６】
なお、本発明は前記各実施の形態に限定されるものではなく、本発明の趣旨に基づいて種々変形させることが可能であり、それらを本発明の範囲から排除するものではない。
【図面の簡単な説明】
【００５７】
【図１】本発明の第１の実施の形態における用紙積載部の斜視図である。
【図２】本発明の第１の実施の形態における複合機の正面図である。
【図３】本発明の第１の実施の形態における複合機の側面図である。
【図４】本発明の第１の実施の形態における複合機の平面図である。
【図５】本発明の第１の実施の形態における用紙の搬送路を示す図である。
【図６】本発明の第１の実施の形態における複合機の動作を操作者の動作に対応させて示すフローチャートである。
【図７】本発明の第１の実施の形態における用紙積載部の平面図である。
【図８】本発明の第１の実施の形態における用紙積載部に用紙が積載された状態を示す図である。
【図９】本発明の第１の実施の形態における他の用紙積載部を示す平面図である。
【図１０】本発明の第２の実施の形態における用紙積載部の斜視図である。
【図１１】本発明の第２の実施の形態における用紙積載部に用紙が積載された状態を示す第１の図である。
【図１２】本発明の第２の実施の形態における用紙積載部に用紙が積載された状態を示す第２の図である。
【図１３】本発明の第２の実施の形態における用紙積載部に用紙が積載された状態を示す第３の図である。
【図１４】本発明の第３の実施の形態における複合機の斜視図である。
【図１５】本発明の第３の実施の形態における複合機の側面図である。
【符号の説明】
【００５８】
１０    複合機
１０Ｌ    第１の側面
１０Ｒ    第２の側面
２０    プリンタ部
２９    排出口
３０    用紙積載部
４０    スキャナ部
４３    操作部
Ｐ    用紙
ｑ１    段差部
【図１】
2009157238.tif 000003
【図２】
2009157238.tif 000004
【図３】
2009157238.tif 000005
【図４】
2009157238.tif 000006
【図５】
2009157238.tif 000007
【図６】
2009157238.tif 000008
【図７】
2009157238.tif 000009
【図８】
2009157238.tif 000010
【図９】
2009157238.tif 000011
【図１０】
2009157238.tif 000012
【図１１】
2009157238.tif 000013
【図１２】
2009157238.tif 000014
【図１３】
2009157238.tif 000015
【図１４】
2009157238.tif 000016
【図１５】
2009157238.tif 000017